(57)【特許請求の範囲】
【請求項１】
吸い込まれた空気を冷却凝縮させて水を得るように設けられた凝縮部と、
前記凝縮部で得られた水を集めて収容するように設けられた水供給部と、
水を収容するように前記水供給部に連通して設けられた電解槽と前記電解槽内に互いに所定の間隔をおいて配置されている複数の電極プレートと前記電解槽に連結されて設けられた放出管とを有し、前記電解槽に前記水供給部より供給されて収容された水を前記電極プレートによって電解して水酸化物イオンを生成し、生成された前記水酸化物イオンが前記放出管によって放出される電解部と、
を備え、
更に前記水供給部に連結されている湿気発生部を有し、
前記湿気発生部は、湿気放出装置と前記湿気放出装置に連結されている案内装置とを有し、前記湿気放出装置が前記案内装置によって案内されてきた水を湿気になるように高圧気化して放出することを特徴とする空気調節システム。
【請求項２】
更に前記水供給部と前記電解槽とを連通して設けられた給水管及び制御部を有し、
前記制御部は、
前記電解槽に設けられており、前記電解槽内の水の水面の高さを検出する第１の検出部材と、
前記水供給部に設けられており、前記水供給部内の水の水面の高さを検出する第２の検出部材と、
前記凝縮部及び前記電解部のいずれかを作動不能に切り替えるように作動されるスイッチを有し、
前記制御部は、前記第１の検出部材によって、前記電解槽内の水の水面が予め定められた電解可能高さより低いことが検出された場合、前記水供給部の水が前記給水管を通って前記電解槽に流れるように制御し、
前記第２の検出部材によって前記水供給部内の水の水面が予め定められた供給可能高さ以上であることが検出された場合、前記凝縮部を作動不能にするように前記スイッチを制御し、
前記第１の検出部材によって前記電解槽内の水の水面が予め定められた前記電解可能高さより低いことが検出され、且つ前記第２の検出部材によって前記水供給部内の水の水面が予め定められた供給不能高さ以下であることが検出された場合、前記電解部を作動不能にするように前記スイッチを制御することを特徴とする請求項１に記載の空気調節システム。
【請求項３】
前記制御部は更に前記凝縮部及び前記電解部に連結されている制御インターフェースを有し、該制御インターフェースは、前記凝縮部を駆動させるモードと、前記電解部を駆動させるモードと、前記凝縮部及び前記電解部を駆動させるモードと、のいずれかに切り替えるように制御操作を行うことを特徴とする請求項１又は２に記載の空気調節システム。
【請求項４】
前記案内装置は前記水供給部へ延伸されて配置されたガイドパイプと、前記ガイドパイプの前記水供給部側に設けられて前記水供給部の水を得るように作動するポンプと、を有することを特徴とする請求項１に記載の空気調節システム。
【請求項５】
更に前記水供給部と前記電解槽とを連通して設けられた給水管及び制御部を有し、
前記制御部は、
前記電解槽に設けられており、前記電解槽内の水の水面の高さを検出する第１の検出部材と、
前記水供給部に設けられており、前記水供給部内の水の水面の高さを検出する第２の検出部材と、
前記凝縮部、前記湿気発生部及び前記電解部のいずれかを作動不能に切り替えるように作動されるスイッチと、を有し、
前記制御部は、前記第１の検出部材によって、前記電解槽内の水の水面が予め定められた電解可能高さより低いことが検出されると、前記水供給部の水が前記給水管を通って前記電解槽に流れるように制御し、
前記第２の検出部材によって前記水供給部内の水の水面が予め定められた供給可能高さ以上であることが検出されると、前記凝縮部を作動不能にするように前記スイッチを制御し、
前記第２の検出部材によって前記水供給部内の水の水面が予め定められた供給不能高さ以下であることが検出された場合、前記湿気発生部を作動不能にするように前記スイッチを制御し、
前記第１の検出部材によって前記電解槽内の水の水面が予め定められた電解可能高さより低いことが検出され、且つ前記第２の検出部材によって前記水供給部内の水の水面が予め定められた前記供給不能高さ以下であることが検出された場合、前記電解部を作動不能にするように前記スイッチを制御することを特徴とする請求項４に記載の空気調節システム。
【請求項６】
前記制御部は更に前記凝縮部と前記電解部と前記湿気発生部とに連結されている制御インターフェースを有し、前記制御インターフェースは、前記凝縮部を駆動させるモードと、前記電解部を駆動させるモードと、前記湿気発生部を駆動させるモードと、前記凝縮部及び前記電解部を駆動させるモードと、前記湿気発生部及び前記電解部を駆動させるモードと、のいずれかに切り替えるように制御操作を行うことを特徴とする請求項４又は５に記載の空気調節システム。
【請求項７】
前記制御部は更に、前記給水管に設けられており、前記第１の検出部材によって前記電解槽内の水面の高さが予め定められた前記電解可能高さより低いことが検出された場合、前記水供給部の水が前記給水管を通って前記電解槽に流れるように開く制御弁を有することを特徴とする請求項１〜６のいずれか１項に記載の空気調節システム。
【請求項８】
更に前記電解部へ空気を送り、前記電解部の温度を下げる第１のファンを有することを特徴とする請求項１〜７のいずれか１項に記載の空気調節システム。
【請求項９】
更に、前記凝縮部、前記水供給部及び前記電解部、又は前記凝縮部、前記水供給部、前記電解部及び前記湿気発生部を一体に収容する所定の内部空間を画成し、前記生成された水酸化物イオンが吹き出される吹出口と外部空気が吸い込まれる吸込口とを設けているハウジングと、前記吹出口を覆うように設けられたろ過網と、を有することを特徴とする請求項１〜８のいずれか１項に記載の空気調節システム。
【発明の詳細な説明】
【技術分野】
【０００１】
本発明は、空気を清浄化すると共に除湿することができる空気調節システムに関する。
【背景技術】
【０００２】
従来では、冷凍システムを用いて除湿を行う除湿機がすでに知られている。例えば特許文献１にはこの種の除湿機が開示されている。この除湿機は、図７に示すように、概ねコンプレッサー１１、冷媒管１２、冷却器コイル１２１及び凝縮器コイル１２２を有する冷凍システムを備えている。除湿機が駆動されると冷媒を冷媒管１２内で循環させ、コンプレッサー１１によって圧縮させて冷却器コイル１２１内で蒸発させることで、吸込口（図示せず）より吸い込まれた外部空気が冷却されることにより、外部空気に含まれている水分が結露してドレン受１３に流れ落ち排出されることによって除湿を行う。そして、水分が取り除かれた冷却空気は凝縮器コイル１２２の周りで凝縮器コイル１２２の排熱により加熱されて送風ファン１４によって吹き出される。次にドレン受１３を取り出して水を捨てるが、排水されるという点で資源がむだになる問題点がある。
【０００３】
一方、居住環境の改善によって健康で快適に過ごしたいという需要に応じて、除湿のみならず室内空気の清浄化も注目されている。これまで、空気中に浮遊する汚染微粒子をろ過、付着することや、オゾン、マイナスイオンによる吸着殺菌効果によって空気を清浄化する技術がすでに知られている。しかし、オゾンは多く用いると人体によくないので、密閉した室内で用いるには不適である。一方、マイナスイオンを用いる場合、プラスマイナスの吸引作用によってマイナスイオンが付着した汚染粒子を床面や壁面に付着させて清浄化を行うが、汚染粒子が付着した床面や壁面が汚れて黒くなったりする問題点がある。
【０００４】
最近、水酸化物イオン（ｈｙｄｒｏｘｉｄｅ  ｉｏｎ；ＯＨ−）を用いて空気の清浄化を行う手法が開発された。水酸化物イオンの高い活性を用いて、細菌やいやな臭いの元となる汚染粒子から電子を取り除くことにより汚染粒子の結合力を失わせると、汚染粒子は微小分子に分解されるので、空気の清浄化を図ることができる。また、水酸化物イオンは空気中の水分と結合することができるので、保湿効果もある。
【先行技術文献】
【特許文献】
【０００５】
【特許文献１】台湾登録実用新案第Ｍ４０４３５２号明細書
【発明の概要】
【発明が解決しようとする課題】
【０００６】
本発明は、上記事情に鑑みてなされたものであり、水酸化物イオンを用いて空気の清浄化を図ると同時に、除湿により得られた水の再利用を図ることができる空気調節システムを提供することを目的とする。
【課題を解決するための手段】
【０００７】
上記目的を達成するために、本発明は、吸い込まれた空気を冷却凝縮させて水を得るように設けられた凝縮部と、前記凝縮部で得られた水を集めて収容するように設けられた水供給部と、水を収容するように前記水供給部に連通して設けられた電解槽と前記電解槽内に互いに所定の間隔をおいて配置されている複数の電極プレートと前記電解槽に連結されて設けられた放出管とを有し、前記電解槽に前記水供給部より供給されて収容された水を前記電極プレートによって電解して水酸化物イオンを生成し、生成された前記水酸化物イオンが前記放出管によって放出される電解部と、を備えていることを特徴とする空気調節システムを提供する。
【０００８】
また、他の発明は、吸い込まれた空気を冷却凝縮させて水を得るように設けられた凝縮部と、前記凝縮部で得られた水を集めて収容するように設けられた水供給部と、水を収容するように前記水供給部に連通して設けられた電解槽と前記電解槽内に互いに所定の間隔をおいて配置されている複数の電極プレートと前記電解槽に連結されて設けられた放出管とを有し、前記電解槽に前記水供給部より供給されて収容された水を前記電極プレートによって電解して水酸化物イオンを生成し、生成された前記水酸化物イオンが前記放出管によって放出される電解部と、前記水供給部に連結されている湿気発生部と、を備えていることを特徴とする空気調節システムをも提供する。
【発明の効果】
【０００９】
本発明に係る空気調節システムは、凝縮部によって得られた空気に含まれた水を電解部或いは湿気発生部に供給して電解或いは加湿を行うことができるので、水資源を有効に利用することができる。従って、周囲環境に応じて空気の清浄化・除湿・加湿を行うことができるので、使用勝手がよく、また異なる装置を別々に操作することなく、設置スペースを省くことができる。
【図面の簡単な説明】
【００１０】
【図１】本発明に係る空気調節システムの一実施例の内部構成を概略的に示す図である。
【図２】本実施例に係る空気調節システムの主要構成を示すブロック図である。
【図３】本実施例に係る空気調節システムにおいて水を含んだ空気から水及び水酸化物イオンを得る一実施例を示すフローチャートである。
【図４】本発明に係る空気調節システムの他の実施例の内部構成を概略的に示す図である。
【図５】他の実施例に係る空気調節システムの主要構成を示すブロック図である。
【図６】他の実施例に係る空気調節システムにおいて除湿による水から水酸化物イオンや湿気を得るフローチャートである。
【図７】従来の除湿機の一例を示す。
【発明を実施するための形態】
【００１１】
（実施例）
以下では、本発明に係る空気調節システムの好ましい実施の形態について、図面を参照しつつ説明を行う。
【００１２】
（実施例１）
図１は本実施例に係る空気調節システムの内部構成を概略的に示す図であり、図２は本実施例に係る空気調節システムの主要構成を示すブロック図であり、図３は本実施例に係る空気調節システムにおいて水を含んだ空気から水及び水酸化物イオンを得る一例を示すフローチャートである。
【００１３】
本実施例における空気調節システムは、所定の内部空間を画成する筐体状に形成され、吹出口２１と吸込口２２とを設けているハウジング２を有し、その内部空間内には、空気を凝縮して空気に含まれた水を得る凝縮部３と、水を収容する水供給部４と、水供給部４に連結されている電解部５と、を備えている。この実施例において更に、水供給部４に連通して水を電解部５へ供給する給水管７３と、給水管７３内に設けられたろ過部材７４と、電解部５に空気を送り電解部５の温度を下げる第１のファン７１と、吹出口２１の近くに設けられた第２のファン７２と、吹出口２１を覆って設けられたろ過網８と、制御部９と、を備えている。
【００１４】
凝縮部３は、熱電冷却チップ３１と冷却器コイル３２とを有し、空気に含まれた水を凝縮して空気中の湿度を下げる。
【００１５】
水供給部４は、凝縮部３によって得られた水を受けて収容する。なお、水供給部４内に収容する水の水面の高さは、供給可能高さと該供給可能高さよりも低い供給不能高さとが定めてある。
【００１６】
電解部５は、水を収容する電解槽５２と、電解槽５２内に互いに所定の間隔をおいて配置されている複数の電極プレート５３、５３、・・・と、電解槽５２に連結されて設けられた放出管５４と、を有する。電解槽５２内は水供給部４より供給された水を収容し、電解部５が作動されると、電極プレート５３によって水を電解して水酸化物イオンを生成し、生成された水酸化物イオンが放出管５４によって吹出口２１より放出される。なお、電解槽５２内に収容する水の水面の高さには、電解可能高さと該電解可能高さよりも低い電解不能高さとを定めてある。
【００１７】
給水管７３は、水供給部４と電解槽５２とを連通するように設けられており、給水管７３内にろ過部材７４が設けられて電解槽５２へ供給される水をろ過する。このようにして、水供給部４内の水に不純物が多い場合でも電解槽５２での電解効率が低くなることを防止することができる。
【００１８】
ろ過網８は吹出口２１を覆って設けられていることによって放出管５４から放出される水酸化物イオンをろ過すると共に、吹出口２１の外部の不純物が放出管５４に入ることを防止することができる。
【００１９】
なお、本発明に係る空気調節システムは、ハウジング２を用いて一つのシステムとして構成されている。
【００２０】
本実施例において、凝縮部３は、熱電冷却チップ３１を用いて冷却器コイル３２を冷却させることにより空気に含まれた水を結露するようにしたが、従来の除湿機の構成を用いてもよい。
【００２１】
制御部９は、凝縮部３、水供給部４及び電解部５の作動を制御するように凝縮部３、水供給部４及び電解部５に電気的に接続されており、水面の高さを検出する第１の検出部材９１と、第２の検出部材９２と、凝縮部３及び電解部５を作動不能にするように作動されるスイッチ９３と、給水管７３に設けられている制御弁９４と、ハウジング２に設けられている制御インターフェース９５と、を有する。
【００２２】
第１の検出部材９１は、電解槽５２に設けられており、電解槽５２内の水の水面の高さを検出するものである。第１の検出部材９１によって、電解槽５２内の水の水面が予め定められた電解可能高さより低いことが検出されると、制御弁９４が開いて、水供給部４の水が給水管７３を通って電解槽５２に流れる。
【００２３】
第２の検出部材９２は、水供給部４に設けられており、水供給部４内の水の水面の高さを検出するものである。第２の検出部材９２によって水供給部４内の水の水面が予め定められた供給可能高さ以上であることが検出されると、図示しないが例えば報知信号を生成し、制御部９へ出力する。
【００２４】
スイッチ９３は、凝縮部３及び電解部５に連結されており、第１の検出部材９１と第２の検出部材９２とによる水面高さの検出に応じて凝縮部３或いは電解部５を作動不能に切り替えるように制御部９によって制御される。例えば、制御部９は第２の検出部材９２からの報知信号によってスイッチ９３を制御して凝縮部３を作動不能にする。なお、制御部９は第２の検出部材９２による報知信号によって生成されたアラーム部材９６のアラーム信号により水供給部４に収容された水量の状況が分かるようにすることもできる。
【００２５】
また、第１の検出部材９１によって電解槽５２内の水の水面が予め定められた電解不能高さ以下であることが検出され、且つ第２の検出部材９２によって水供給部４内の水の水面が予め定められた供給不能高さ以下であることが検出された場合、電解部５を作動不能にするようにスイッチ９３を制御する。
【００２６】
このようにして、凝縮部３を適時に作動不能にすることによって水供給部４内の水が多くて溢れることを防止することができると共に、電解部５を適時に作動不能にすることによって水供給部４から水を供給できず、電解槽５２内の水が足りなくなった後も電解部５が稼働し続けて過熱することによる故障を防止することができる。なお、この実施例において制御部９はスイッチ９３を介しての切り替えによって電解部５又は凝縮部３を作動不能にするように構成されているが、これに限らないことは言うまでもない。
【００２７】
制御インターフェース９５は、凝縮部３及び電解部５に連結されており、凝縮部３を駆動させて除湿を行うモードと、電解部５を駆動させて空気の清浄化を行うモードと、凝縮部３及び電解部５を駆動させて除湿・空気の清浄化を行うモードと、のいずれかに切り替えるように制御操作を行う。
【００２８】
次に、図３を参照して、以上のように構成された本発明に係る空気調節システムの動作を説明する。
【００２９】
まず、空気調節システムは、インターフェース９５により選定するモードに切り替えると、選定されたモードにて駆動する。例えば凝縮部３を駆動させて除湿を行うモードに切り替えると、凝縮部３を駆動させる。熱電冷却チップ３１の駆動で冷却された冷却器コイル３２によって空気吸込口２２より入ってきた空気を凝縮して、水を結露させる。そして、凝縮部３による凝縮水を水供給部４によって受けて収容する。制御部９は、第２の検出部材９２によって水供給部４内に収容された水の水面の高さが予め定められた供給可能高さ以上であると、凝縮部３を作動不能にするように制御する。
【００３０】
一方、インターフェース９５により電解部５を駆動させて空気の清浄化を行うモードに切り替えた場合を説明する。電解部５が駆動すると、空気清浄効果が得られる水酸化物イオンが生成され、生成された水酸化物イオンが放出管５４によって空気吹出口２１を介して放出される。ここで、第１のファン７１によって外部の空気が吸込口２２よりハウジング２内に吸い込まれることによって電解部５の発熱を下げることができる。
【００３１】
なお、水酸化物イオンが放出される前にろ過網８で吹出口２１の外部の不純物が放出管５４に入ることを防止することができると共に、水酸化物イオンの清浄度を高くすることができる。また、清浄化された水酸化物イオンは第２のファン７２によって速やかに放出されることができる。
【００３２】
そして、制御部９は第１の検出部材９１によって電解槽５２内の水の水面の高さが予め定められた水の電解可能高さよりも低いことが検出された場合、制御弁９４を開けるように制御し、水供給部４内の水が電解槽５２へ供給される。また、第１の検出部材９１によって電解槽５２内の水の水面の高さが予め定められた水の電解不能高さ以下であることが検出されたと共に、第２の検出部材９２によって水供給部４内に収容された水の水面の高さが予め定められた供給不能高さ以下であることが検出されると、電解部５を作動不能にする。
【００３３】
また、凝縮部３と電解部５とを同時に作動するモードが選定されると、凝縮部３と電解部５とを駆動させる。凝縮部３では、熱電冷却チップ３１の駆動で冷却された冷却器コイル３２によって空気吸込口２２より入ってきた空気を凝縮して、水を結露させ、水供給部４に受けて収容する。その一方、水供給部４内の水が給水管７３を通って電解槽５２へ流れ込むと、通電した電極プレート５３によって電解されて空気清浄効果が得られる水酸化物イオンが生成される。生成された水酸化物イオンが放出管５４によって空気吹出口２１を介して放出される。このように、除湿と空気の清浄化とを行うことができる。
【００３４】
次に、凝縮部３の駆動及び電解部５の駆動と同様に、制御部９は、第２の検出部材９２によって水供給部４内に収容された水の水面の高さが予め定められた供給可能高さ以上であることが検出された場合、凝縮部３を作動不能にする。その一方、制御部９は第１の検出部材９１によって電解槽５２内の水の水面の高さが予め定められた電解可能高さよりも低いことが検出されると、制御弁９４を開けるように制御し、水供給部４内の水が電解槽５２へ供給される。また、第１の検出部材９１によって電解槽５２内の水の水面の高さが予め定められた電解不能高さ以下であることが検出されると共に第２の検出部材９２によって水供給部３内に収容された水の水面の高さが予め定められた供給不能高さ以下であることが検出された場合、電解部５を作動不能にする。
【００３５】
以上のように、凝縮部３によって得られた空気に含まれた水を電解部５に供給して電解を行うことができるので、水資源を有効に利用することができる。従って、周囲環境に応じて空気の清浄化・除湿を行うことができるので、使用勝手がよく、また異なる装置を別々に操作することなく、設置スペースを省くことができる。
【００３６】
（実施例２）
次に、図４及び図５を参照して、実施例２に係る空気調節システムを説明する。なお、実施例１との共通点の詳しい説明は省略し、相違点を中心に説明する。
【００３７】
本実施例２に係る空気調節システムは更に、水供給部４に連通している湿気発生部６を備えている。また、制御部９は入力された報知信号に応じてアラーム信号を出力するアラーム部材９６を更に有する。
【００３８】
湿気発生部６は、湿気放出装置６３と案内装置６０とを有する。案内装置６０は湿気放出装置６３に連結され、水供給部４へ延伸されて配置されたガイドパイプ６２と、ガイドパイプ６２の水供給部４側で水供給部４の水を得るように作動するポンプ６１と、を有する。ポンプ６１が駆動されて水供給部４の水を吸い取ると、ガイドパイプ６２を介して湿気放出装置６３に供給する。湿気放出装置６３はポンプ６１によって得られた水を湿気（すなわち水蒸気）になるように高圧気化し、発生した湿気を放出する。
【００３９】
この実施例において制御部９の制御インターフェース９５は、凝縮部３と電解部５との他に湿気発生部６にも連結されており、凝縮部３を駆動させるモードと、電解部５を駆動させるモードと、湿気発生部６を駆動させるモードと、凝縮部３及び電解部５を駆動させるモードと、湿気発生部６及び電解部５を駆動させるモードと、のいずれかに切り替えるように制御操作を行う。
【００４０】
次に、図６を参照して、以上のように構成された本発明に係る空気調節システムの動作を説明する。なお、凝縮部３を駆動させるモードと、電解部５を駆動させるモードと、凝縮部３及び電解部５を駆動させるモードと、は前記実施例１と同じなので、その説明を省略する。以下、実施例１と異なる点を中心に説明する。
【００４１】
例えば湿気発生部６を駆動させるモードに切り替えた場合、制御部９はポンプ６１が作動されるように制御し、水供給部４の水がガイドパイプ６２を通って湿気放出装置６３へ供給される。湿気放出装置６３は供給された水を高圧気化して湿気にして放出する。
【００４２】
制御部９は、第２の検出部材９２によって水供給部３内に収容された水の水面の高さが予め定められた供給不能高さ以下であることが検出された場合、湿気発生部６を作動不能にする。
【００４３】
また、電解部５と湿気発生部６とを同時に作動するモードが選定された場合、電解部５が作動して電解を行う。そして通電した電極プレート５３によって水が電解されて空気清浄効果が得られる水酸化物イオンが生成される。ここで、第１のファン７１によって外部の空気が吸込口２２よりハウジング２内に吸い込まれることによって電解部５の発熱を下げることができる。
【００４４】
制御部９は、第１の検出部材９１によって電解槽５２内の水の水面の高さが予め定められた電解可能高さよりも低いことを検出すると、制御弁９４を開けるように制御し、水供給部４内の水が給水管７３を通って電解槽５２へ流れ込む。
【００４５】
一方、湿気発生部６のポンプ６１も作動され、水供給部４の水がガイドパイプ６２を通って湿気放出装置６３へ供給される。湿気放出装置６３は、供給された水を高圧気化して湿気にして放出する。
【００４６】
上記と同様に、制御部９は第１の検出部材９１によって電解槽５２内の水の水面の高さが予め定められた電解可能高さよりも低いことが検出されると、制御弁９４を開けるように制御し、水供給部４内の水が電解槽５２へ供給される。また、第１の検出部材９１によって電解槽５２内の水の水面の高さが予め定められた電解不能高さ以下であることが検出されたと共に、第２の検出部材９２によって水供給部４内に収容された水の水面の高さも予め定められた供給不能高さ以下であることが検出された場合、電解部５を作動不能にする。
【００４７】
なお、この実施例２では、実施例１と同様に、制御部９はスイッチ９３による切り替えによって電解部５、凝縮部３又は湿気発生部６を作動不能にするように構成されているが、これに限らないことは言うまでもない。
【００４８】
以上により、実施例１による効果に加えて、周辺環境に応じて加湿を行うこともできる。従って、多湿環境において凝縮部３と電解部５とを同時に駆動させて空気に含まれた水を取り除くと共に空気の清浄化を行うことができる一方、乾燥環境において電解部５と湿気発生部６とを同時に駆動させて乾いた空気を加湿することができると共に空気の清浄化を行うことできる。
【００４９】
本発明に係る空気調節システムによる作用及び効果をまとめると下記の通りである。
（１）複合機能と整合性が高く、使い勝手が良い：
除湿機能を備えた凝縮部３及び空気清浄機能を備えた電解部５、又は凝縮部３、電解部５及び加湿機能を備えた湿気発生部６をまとめて構成すると、空気清浄化と同時に除湿或いは加湿を行うことができるので、異なる装置を別々に操作する必要がなく、設置スペースを省くことができ、購入費用も大幅に低減することができる。一方、除湿によって得られた水を電解・加湿に利用することができるので、水資源の節約をも図ることができ、使い勝手がよい。
（２）使用安全性が高い：
制御部９は第１の検出部材９１及び第２の検出部材９２をスイッチ９３と共に用いることにより、電解槽５２内の水が足りなくなった後も電解部５が稼働し続けて過熱し故障することを防止することができるので、使用安全性が高い。
【産業上の利用可能性】
【００５０】
本発明に係る空気調節システムは、周囲環境の空気の清浄化及び除湿もしくは加湿を行う機器に有用である。
【符号の説明】
【００５１】
２  ハウジング                              ６２  ガイドパイプ
２１  吹出口                                ６３  湿気放出装置
２２  吸込口                                ７１  第１のファン
３  凝縮部                                  ７２  第２のファン
３１  熱電冷却チップ                        ７３  給水管
３２  冷却器コイル                          ７４  ろ過部材
４  水供給部                                ８  ろ過網
５  電解部                                  ９  制御部
５２  電解槽                                ９１  第１の検出部材
５３  電極プレート                          ９２  第２の検出部材
５４  放出管                                ９３  スイッチ
６  湿気発生部                              ９４  制御弁
６０  案内装置                              ９５  制御インターフェース
６１  ポンプ                                ９６  アラーム部材
【図１】
0005426729.tif 000002
【図２】
0005426729.tif 000003
【図３】
0005426729.tif 000004
【図４】
0005426729.tif 000005
【図５】
0005426729.tif 000006
【図６】
0005426729.tif 000007
【図７】
0005426729.tif 000008